(57)【特許請求の範囲】
【請求項１】
原水を貯留可能な原水容器と、当該原水容器から導かれる原水を浄化する浄化処理部と、当該浄化処理部から供給される浄水を貯留する浄水容器とを有する浄水器であって、
前記原水容器、前記浄化処理部、及び前記浄水容器を装着可能な浄水器支持体が設けられ、
前記原水容器、前記浄化処理部、及び前記浄水容器が前記浄水器支持体に装着されている装着姿勢で、前記原水容器から供給される原水を前記浄化処理部にて浄化し、前記浄水容器に浄水として貯留可能に構成され、
前記原水容器が、前記浄水器支持体から独立に着脱可能に構成され、
前記原水容器及び前記浄化処理部が前記装着姿勢にある場合に、前記原水容器には、前記浄化処理部側へ開口する原水流出口が設けられ、
閉止状態において前記原水流出口からの原水の流出を禁止すると共に、開放状態において前記原水流出口からの原水の流出を許容する原水流出調整手段が、前記原水流出口に設けられ、
前記浄化処理部が装着姿勢にあり、且つ、前記原水容器が非装着姿勢から装着姿勢に姿勢変更する場合に、前記原水流出調整手段を前記閉止状態から前記開放状態へ操作する操作手段が、前記浄化処理部に設けられ、
前記浄水器支持体は、前記原水容器、前記浄化処理部、及び前記浄水容器を上下方向で記載順に装着可能に構成され、
前記原水容器は、その下面から下方側に延びて自身を支持可能な脚状体を備え、
前記浄水処理部の上面には、前記原水容器及び前記浄化処理部が前記浄水器支持体に装着されている装着姿勢において、前記脚状体の外面に沿う形状の案内部材が設けられ、
前記案内部材は、前記浄化処理部が前記浄水器支持体に装着されている装着姿勢で、前記原水容器が非装着姿勢から装着姿勢に移行するときに、前記原水容器の前記原水流出口と前記浄化処理部の原水受入口とを芯出しするように、前記原水容器を案内するように構成されていている浄水器。
【請求項２】
原水を貯留可能な原水容器と、当該原水容器から導かれる原水を浄化する浄化処理部と、当該浄化処理部から供給される浄水を貯留する浄水容器とを有する浄水器であって、
前記原水容器、前記浄化処理部、及び前記浄水容器を装着可能な浄水器支持体が設けられ、
前記原水容器、前記浄化処理部、及び前記浄水容器が前記浄水器支持体に装着されている装着姿勢で、前記原水容器から供給される原水を前記浄化処理部にて浄化し、前記浄水容器に浄水として貯留可能に構成され、
前記原水容器が、前記浄水器支持体から独立に着脱可能に構成され、
前記原水容器及び前記浄化処理部が前記装着姿勢にある場合に、前記原水容器には、前記浄化処理部側へ開口する原水流出口が設けられ、
閉止状態において前記原水流出口からの原水の流出を禁止すると共に、開放状態において前記原水流出口からの原水の流出を許容する原水流出調整手段が、前記原水流出口に設けられ、
前記浄化処理部が装着姿勢にあり、且つ、前記原水容器が非装着姿勢から装着姿勢に姿勢変更する場合に、前記原水流出調整手段を前記閉止状態から前記開放状態へ操作する操作手段が、前記浄化処理部に設けられ、
前記浄水器支持体の底部には、前記浄水容器を前記浄水器支持体へ装着される装着姿勢に案内するための案内溝が設けられている浄水器。
【請求項３】
原水を貯留可能な原水容器と、当該原水容器から導かれる原水を浄化する浄化処理部と、当該浄化処理部から供給される浄水を貯留する浄水容器とを有する浄水器であって、
前記原水容器、前記浄化処理部、及び前記浄水容器を装着可能な浄水器支持体が設けられ、
前記原水容器、前記浄化処理部、及び前記浄水容器が前記浄水器支持体に装着されている装着姿勢で、前記原水容器から供給される原水を前記浄化処理部にて浄化し、前記浄水容器に浄水として貯留可能に構成され、
前記原水容器が、前記浄水器支持体から独立に着脱可能に構成され、
前記原水容器及び前記浄化処理部が前記装着姿勢にある場合に、前記原水容器には、前記浄化処理部側へ開口する原水流出口が設けられ、
閉止状態において前記原水流出口からの原水の流出を禁止すると共に、開放状態において前記原水流出口からの原水の流出を許容する原水流出調整手段が、前記原水流出口に設けられ、
前記浄化処理部が装着姿勢にあり、且つ、前記原水容器が非装着姿勢から装着姿勢に姿勢変更する場合に、前記原水流出調整手段を前記閉止状態から前記開放状態へ操作する操作手段が、前記浄化処理部に設けられ、
前記浄水器支持体の底部には、前記浄水容器が前記浄水器支持体へ装着されている装着姿勢において、前記浄水容器と前記底部との間に換気流を通流させる隙間を形成する凹部が設けられている浄水器。
【請求項４】
前記原水流出調整手段は、前記原水流出口における原水の通流方向に、付勢手段により付勢されて閉止状態を維持すると共に、前記原水流出口における原水の通流方向と反対側に、前記付勢手段による付勢力に抗して押圧されたときに開放状態となる逆止弁により構成され、
前記操作手段は、前記原水容器及び前記浄化処理部が前記浄水器支持体に装着されている装着姿勢にあるときに、前記逆止弁を、前記原水の通流方向と反対方向に、前記付勢手段による付勢力に抗して押圧する棒状部材を有している請求項１〜３のいずれか一項に記載の浄水器。
【請求項５】
前記原水流出口は、前記原水容器の下面から下方側に突出して原水の流れを案内する筒状突出部を有し、
前記原水容器が前記脚状体により支持されている状態で、前記筒状突出部の下端部は、前記脚状体の下端部よりも上方側に位置する請求項１に記載の浄水器。
【発明の詳細な説明】
【技術分野】
【０００１】
本発明は、原水を貯留可能な原水容器と、当該原水容器から導かれる原水を浄化する浄化処理部と、当該浄化処理部から供給される浄水を貯留する浄水容器とを有する浄水器に関する。
【背景技術】
【０００２】
従来のポット型浄水器１００は、図６に示すように、原水を貯留可能な原水容器３０と、原水容器３０から導かれる原水を浄化する浄化処理部５０と、浄化処理部５０から導かれる浄水を貯留する浄水容器７０とを備えているものが、知られている（特許文献１を参照）。
当該特許文献１のポット型浄水器１００では、原水容器３０、浄化処理部５０、及び浄水容器７０が、一体に設けられている。
【先行技術文献】
【特許文献】
【０００３】
【特許文献１】特開２００７−３１３５０１号公報
【発明の開示】
【発明が解決しようとする課題】
【０００４】
しかしながら、原水容器３０、浄化処理部５０、及び浄水容器７０が、一体に設けられているポット型浄水容器では、全体として大型となり、原水容器３０に原水を流入する場合には、大型のポット型浄水器１００のすべてを蛇口まで運ぶ必要があり、使用者の使い勝手が悪いという問題があった。
そこで、原水容器３０への原水の流入を容易にすべく、原水容器３０を、浄化処理部５０及び浄水容器７０とは独立に蛇口まで移動可能に構成することが考えられる。
本願は、このように、原水容器３０を、浄化処理部５０及び浄水容器７０とは独立に蛇口まで移動可能に構成した場合に、生じる独特の課題を解決するために成されたものである。
【０００５】
本発明は、上述の課題に鑑みてなされたものであり、その目的は、原水容器の移動中には、原水容器の原水流出口から原水の流出を適切に防止しながらも、原水を浄化する浄化処理中には、原水容器の原水流出口から原水を流出して、浄化処理部に適切に導くことができる浄水器を提供することにある。
【課題を解決するための手段】
【０００６】
上記目的を達成するための浄水器は、原水を貯留可能な原水容器と、当該原水容器から導かれる原水を浄化する浄化処理部と、当該浄化処理部から供給される浄水を貯留する浄水容器とを有する浄水器であって、その特徴構成は、
前記原水容器、前記浄化処理部、及び前記浄水容器を装着可能な浄水器支持体が設けられ、
前記原水容器、前記浄化処理部、及び前記浄水容器が前記浄水器支持体に装着されている装着姿勢で、前記原水容器から供給される原水を前記浄化処理部にて浄化し、前記浄水容器に浄水として貯留可能に構成され、
前記原水容器が、前記浄水器支持体から独立に着脱可能に構成され、
前記原水容器及び前記浄化処理部が前記装着姿勢にある場合に、前記原水容器には、前記浄化処理部側へ開口する原水流出口が設けられ、
閉止状態において前記原水流出口からの原水の流出を禁止すると共に、開放状態におい
て前記原水流出口からの原水の流出を許容する原水流出調整手段が、前記原水流出口に設けられ、
前記浄化処理部が装着姿勢にあり、且つ、前記原水容器が非装着姿勢から装着姿勢に姿勢変更する場合に、前記原水流出調整手段を前記閉止状態から前記開放状態へ操作する操作手段が、前記浄化処理部に設けられ、
前記浄水器支持体は、前記原水容器、前記浄化処理部、及び前記浄水容器を上下方向で記載順に装着可能に構成され、
前記原水容器は、その下面から下方側に延びて自身を支持可能な脚状体を備え、
前記浄水処理部の上面には、前記原水容器及び前記浄化処理部が前記浄水器支持体に装着されている装着姿勢において、前記脚状体の外面に沿う形状の案内部材が設けられ、
前記案内部材は、前記浄化処理部が前記浄水器支持体に装着されている装着姿勢で、前記原水容器が非装着姿勢から装着姿勢に移行するときに、前記原水容器の前記原水流出口と前記浄化処理部の原水受入口とを芯出しするように、前記原水容器を案内するように構成されていている点にある。
【０００７】
上記特徴構成によれば、原水容器は、浄水器支持体から独立に着脱可能に構成されているので、使用者は、浄化処理部及び浄水容器とは別に、原水容器のみを移動させることができる。
さらに、上記特徴構成によれば、閉止状態にて原水流出口からの原水の流出を禁止すると共に、開放状態において原水流出口からの原水の流出を許容する原水流出調整手段を、原水容器の原水流出口に設け、且つ、浄化処理部が浄水器支持体に装着されている状態で、原水容器が浄水器支持体に装着されている装着姿勢にある場合に、原水流出調整手段を閉止状態から開放状態へ操作する操作手段を、浄化処理部に設けているので、原水流出調整手段は、原水容器が浄水器支持体から取り外され、装着姿勢以外の姿勢にある場合に、原水流出口を閉止状態に維持し、原水容器が装着姿勢にある場合にのみ、原水流出口を閉止状態から開放状態に移行されることとなる。
結果、使用者が、原水容器を浄水器支持体から取り外して、浄水器支持体と蛇口との間を移動している場合、原水流出口からの原水の流出が適切に防止されると共に、使用者が、原水容器を浄水器支持体に装着する装着姿勢に移行させた場合、原水流出口から原水を流出させて、浄化処理部への原水の供給を確実に実行することができる。
また、原水容器は、非装着姿勢から装着姿勢に移行するときに、その脚状体が、浄化処理部に設けられている案内部材により案内されることで、その原水流出
口と浄化処理部の原水受入口とが芯出しされた状態で、位置決めされることとなる。
結果、原水容器の原水流出口から流出された原水は、確実に浄化処理部の原水受入口に受け入れられることとなり、原水容器と浄化処理部との間における原水の漏洩を、確実に防水することができる。
【０００８】
また、上記目的を達成するための浄水器は、
原水を貯留可能な原水容器と、当該原水容器から導かれる原水を浄化する浄化処理部と、当該浄化処理部から供給される浄水を貯留する浄水容器とを有する浄水器であって、
前記原水容器、前記浄化処理部、及び前記浄水容器を装着可能な浄水器支持体が設けられ、
前記原水容器、前記浄化処理部、及び前記浄水容器が前記浄水器支持体に装着されている装着姿勢で、前記原水容器から供給される原水を前記浄化処理部にて浄化し、前記浄水容器に浄水として貯留可能に構成され、
前記原水容器が、前記浄水器支持体から独立に着脱可能に構成され、
前記原水容器及び前記浄化処理部が前記装着姿勢にある場合に、前記原水容器には、前記浄化処理部側へ開口する原水流出口が設けられ、
閉止状態において前記原水流出口からの原水の流出を禁止すると共に、開放状態において前記原水流出口からの原水の流出を許容する原水流出調整手段が、前記原水流出口に設けられ、
前記浄化処理部が装着姿勢にあり、且つ、前記原水容器が非装着姿勢から装着姿勢に姿勢変更する場合に、前記原水流出調整手段を前記閉止状態から前記開放状態へ操作する操作手段が、前記浄化処理部に設けられ、
前記浄水器支持体の底部には、前記浄水容器を前記浄水器支持体へ装着される装着姿勢に案内するための案内溝が設けられている点を特徴とすることもできる。
【０００９】
上記特徴構成によれば、原水容器は、浄水器支持体から独立に着脱可能に構成されているので、使用者は、浄化処理部及び浄水容器とは別に、原水容器のみを移動させることができる。
さらに、上記特徴構成によれば、閉止状態にて原水流出口からの原水の流出を禁止すると共に、開放状態において原水流出口からの原水の流出を許容する原水流出調整手段を、原水容器の原水流出口に設け、且つ、浄化処理部が浄水器支持体に装着されている状態で、原水容器が浄水器支持体に装着されている装着姿勢にある場合に、原水流出調整手段を閉止状態から開放状態へ操作する操作手段を、浄化処理部に設けているので、原水流出調整手段は、原水容器が浄水器支持体から取り外され、装着姿勢以外の姿勢にある場合に、原水流出口を閉止状態に維持し、原水容器が装着姿勢にある場合にのみ、原水流出口を閉止状態から開放状態に移行されることとなる。
結果、使用者が、原水容器を浄水器支持体から取り外して、浄水器支持体と蛇口との間を移動している場合、原水流出口からの原水の流出が適切に防止されると共に、使用者が、原水容器を浄水器支持体に装着する装着姿勢に移行させた場合、原水流出口から原水を流出させて、浄化処理部への原水の供給を確実に実行することができる。
また、浄水容器は、浄水器支持体の底部に設けられる案内溝により、浄水器支持体へ装着される装着姿勢に案内されるので、浄水容器を確実に案内姿勢に導くことができ、浄水を確実に浄水容器の内部へ導くことができる。
【００１０】
また、上記目的を達成するための浄水器は、
原水を貯留可能な原水容器と、当該原水容器から導かれる原水を浄化する浄化処理部と、当該浄化処理部から供給される浄水を貯留する浄水容器とを有する浄水器であって、
前記原水容器、前記浄化処理部、及び前記浄水容器を装着可能な浄水器支持体が設けられ、
前記原水容器、前記浄化処理部、及び前記浄水容器が前記浄水器支持体に装着されている装着姿勢で、前記原水容器から供給される原水を前記浄化処理部にて浄化し、前記浄水容器に浄水として貯留可能に構成され、
前記原水容器が、前記浄水器支持体から独立に着脱可能に構成され、
前記原水容器及び前記浄化処理部が前記装着姿勢にある場合に、前記原水容器には、前記浄化処理部側へ開口する原水流出口が設けられ、
閉止状態において前記原水流出口からの原水の流出を禁止すると共に、開放状態において前記原水流出口からの原水の流出を許容する原水流出調整手段が、前記原水流出口に設けられ、
前記浄化処理部が装着姿勢にあり、且つ、前記原水容器が非装着姿勢から装着姿勢に姿勢変更する場合に、前記原水流出調整手段を前記閉止状態から前記開放状態へ操作する操作手段が、前記浄化処理部に設けられ、
前記浄水器支持体の底部には、前記浄水容器が前記浄水器支持体へ装着されている装着姿勢において、前記浄水容器と前記底部との間に換気流を通流させる隙間を形成する凹部が設けられている点を特徴とすることもできる。
【００１１】
上記特徴構成によれば、原水容器は、浄水器支持体から独立に着脱可能に構成されているので、使用者は、浄化処理部及び浄水容器とは別に、原水容器のみを移動させることができる。
さらに、上記特徴構成によれば、閉止状態にて原水流出口からの原水の流出を禁止すると共に、開放状態において原水流出口からの原水の流出を許容する原水流出調整手段を、原水容器の原水流出口に設け、且つ、浄化処理部が浄水器支持体に装着されている状態で、原水容器が浄水器支持体に装着されている装着姿勢にある場合に、原水流出調整手段を閉止状態から開放状態へ操作する操作手段を、浄化処理部に設けているので、原水流出調整手段は、原水容器が浄水器支持体から取り外され、装着姿勢以外の姿勢にある場合に、原水流出口を閉止状態に維持し、原水容器が装着姿勢にある場合にのみ、原水流出口を閉止状態から開放状態に移行されることとなる。
結果、使用者が、原水容器を浄水器支持体から取り外して、浄水器支持体と蛇口との間を移動している場合、原水流出口からの原水の流出が適切に防止されると共に、使用者が、原水容器を浄水器支持体に装着する装着姿勢に移行させた場合、原水流出口から原水を流出させて、浄化処理部への原水の供給を確実に実行することができる。
ここで、浄水器支持体の底部には、浄水容器が装着姿勢にない場合等に、浄化処理部から浄水が導かれて濡れて、雑菌が繁殖する場合がある。
したがって、浄水器支持体の底部に凹部を設けることにより、浄水器支持体の底部と浄水容器と底部との間に換気流を通流させることができ、浄水器支持体の底部及び浄水容器の底部の乾燥を促進して、雑菌の繁殖を抑制することができる。
【００１２】
本発明の浄水器の更なる特徴構成は、前記原水流出調整手段は、前記原水流出口における原水の通流方向に、付勢手段により付勢されて閉止状態を維持すると共に、前記原水流出口における原水の通流方向と反対側に、前記付勢手段による付勢力に抗して押圧されたときに開放状態となる逆止弁により構成され、
前記操作手段は、前記原水容器及び前記浄化処理部が前記浄水器支持体に装着されている装着姿勢にあるときに、前記逆止弁を、前記原水の通流方向と反対方向に、前記付勢手段による付勢力に抗して押圧する棒状部材を有している点にある。
【００１３】
上記特徴構成によれば、原水容器の原水流出口には、原水の通流方向に沿う方向に付勢されて閉止状態を維持する逆止弁を設けているので、原水容器が装着姿勢以外の姿勢で、例えば、移動している場合等には、原水流出口からの原水の流出が適切に防止される。
一方、当該逆止弁は、原水容器が装着姿勢にある場合、浄化処理部に操作手段として設けられている棒状部材により、原水の通流方向と反対方向に押圧されることにより、開放状態となるので、原水容器が装着姿勢にある場合にのみ、原水容器に貯留される原水を浄化処理部へ適切に導くことができる。
【００１４】
本発明の浄水器の更なる特徴構成は、前記原水流出口は、前記原水容器の下面から下方側に突出して原水の流れを案内する筒状突出部を有し、
前記原水容器が前記脚状体により支持されている状態で、前記筒状突出部の下端部は、前記脚状体の下端部よりも上方側に位置する点にある。
【００１５】
原水容器は、浄水器支持体から取り外される非装着姿勢において、雑菌が付着している虞のあるテーブル等に載置される場合がある。
上記特徴構成によれば、原水流出口から流出する原水の流れを案内する筒状突出部は、原水容器が脚状体により支持されている状態で、その下方側の端部が、脚状体の下方側の端部よりも上方側に位置するので、例え、原水容器が、雑菌が付着している虞のあるテーブル等に載置された場合であっても、脚状体の下方側の端部がテーブルの上面に当接し、筒状突出部が、テーブルの上面に当接することはない。
これにより、筒状突出部にテーブルの雑菌が付着することを防止でき、筒状突出部から雑菌等の含まれない衛生的な原水を供給することができる。
【図面の簡単な説明】
【００１８】
【図１】原水容器及び浄水容器が非装着姿勢にある場合の浄水器の斜視図である。
【図２】原水容器及び浄水容器が装着姿勢にある場合の浄水器の斜視図である。
【図３】浄化処理部が装着姿勢にある状態における非装着姿勢にある原水容器の断面図である。
【図４】浄化処理部が装着姿勢にある状態における装着姿勢にある原水容器の断面図である。
【図５】開閉部材が開放状態にある場合（ａ）と閉止状態とにある場合（ｂ）における、浄水容器の装着姿勢への移行過程を示す断面図である。
【図６】従来技術に係る浄水器を示す断面図である。
【発明を実施するための形態】
【００１９】
本発明の浄水器１００は、図１、２に示すように、原水を貯留可能な原水容器３０と、当該原水容器３０から導かれる原水を浄化する浄化処理部５０と、当該浄化処理部５０から供給される浄水を貯留する浄水容器７０と、原水容器３０と浄化処理部５０と浄水容器７０とを原水の流通方向（図１、２で、矢印Ｙの矢示方向）で記載順に装着自在な浄水器支持体１０とから構成されている。そして、本発明の浄水器１００は、特に、原水容器３０を、浄水器支持体１０から独立に着脱するための構成に特徴がある。
以下では、浄水器１００の全体構成を説明した後、原水容器３０、浄化処理部５０、及び浄水容器７０の夫々について、説明を加える。
【００２０】
〔全体構成〕
浄水器１００は、原水容器３０、浄化処理部５０、及び浄水容器７０の夫々が、原水の通流方向（図１、２で、矢印Ｙの矢示方向）を鉛直方向に沿わせる状態で、上方側から記載順に、浄水器支持体１０に装着される装着姿勢となるように構成されている。
浄水器支持体１０は、図１、２に示すように、テーブル（図示せず）等に載置可能な底部１１と、当該底部１１の側方から鉛直方向で上方（図１、２で矢印Ｙの矢示方向と反対方向）に延びる一対の側方支持体１２とから構成されている。
一対の側方支持体１２には、一対の側方支持体１２に挟まれる状態で、鉛直方向で側方支持体１２の略中央部位に、複数の螺子１３にて、浄化処理部５０が螺設されている。これにより、浄化処理部５０が浄水器支持体１０に装着される装着姿勢（図１、２に示す姿勢）となる。
原水容器３０は、浄化処理部５０が浄水器支持体１０に装着されている装着姿勢において、一対の側方支持体１２に挟まれる状態で、上方から下方（図１、２で矢印Ｙの矢示方向）へ移動して、浄化処理部５０の浄化処理部本体５１の上端部５１ａに載置されて、非装着姿勢（図１に示す姿勢）から装着姿勢（図２に示す姿勢）へと姿勢変更する。
一方、浄水容器７０は、浄化処理部５０が浄水器支持体１０に装着されている装着姿勢において、一対の側方支持体１２に挟まれる状態で、一対の側方支持体１２の対向方向に直交する方向（図１で矢印Ｘに沿う方向）に移動して、非装着姿勢（図１に示す姿勢）から、浄化処理部５０の下方で浄水器支持体１０の底部１１に載置される装着姿勢（図２に示す姿勢）へ姿勢変更する。
以上の如く、原水容器３０及び浄水容器７０は、浄水器支持体１０に対して着脱自在に構成される。
そして、原水容器３０、浄化処理部５０、及び浄水容器７０の夫々は、浄水器支持体１０に装着される装着姿勢（図２に示す姿勢）において、原水容器３０に貯留される原水を、自重によりその下方に位置する浄化処理部５０に導いて浄化し、浄化された浄水を浄水容器７０に貯留可能に構成されている。
【００２１】
〔原水容器〕
原水容器３０は、浄水器支持体１０から取り外して移動可能であり、浄水器支持体１０から取り外して移動している非装着姿勢（図３に示す姿勢）においては、その内部に原水を貯留した状態を維持できながらも、浄水器支持体１０への装着姿勢（図４に示す姿勢）においては、浄化処理部５０に原水を供給可能としている点を特徴としている。以下、この特徴に係る構成について、詳細に説明する。
原水容器３０は、図３に示すように、原水を貯留する原水容器本体３１と、当該原水容器本体３１の上方の開口３２に設けられる原水容器蓋３３と、原水容器本体３１の下方から原水を流出する原水流出口３４とを備えている。
原水容器蓋３３には、原水流入口３５が設けられると共に、当該原水流入口３５を開放状態又は閉止状態とする原水流入口蓋３６が設けられている。
原水流出口３４には、原水容器３０の下面から下方側（図３で矢印Ｙの矢示方向の先端側）に突出して、原水をその通流方向（図３で矢印Ｙの矢示方向）に案内する筒状突出部３８が設けられている。
【００２２】
〔逆止弁及び操作手段〕
当該原水流出口３４の筒状突出部３８には、閉止状態（図３に示す状態）において原水流出口３４からの原水の流出を禁止すると共に、開放状態（図４に示す状態）において原水流出口３４からの原水の流出を許容する逆止弁３７（原水流出調整手段の一例）が設けられている。
説明を加えると、逆止弁３７は、筒状突出部３８の内部において、付勢部材３９により原水流出方向（図３で矢印Ｙの矢示方向）に付勢され、筒状突出部３８の原水流出方向の端部に設けられる弁座４０に着座する閉止状態と、当該弁座４０から原水流出方向と反対方向（図４に矢印Ｙの矢示方向と反対方向）に離間する開放状態との間で、切替可能に構成されている。
さらに、浄化処理部５０が装着姿勢にあり、原水容器３０が非装着姿勢（図３に示す姿勢）から装着姿勢（図４に示す姿勢）に姿勢変更する場合に、当該逆止弁３７を、閉止状態（図３に示す状態）から開放状態（図４に示す状態）へ操作する操作手段４１が、浄化処理部５０に設けられている。
説明を加えると、当該操作手段４１は、図４に示すように、浄化処理部５０に装着される浄水カートリッジ２００の第１浄化材充填容器１１０の上面に載置される状態で、設けられる。
当該操作手段４１は、図３、４に示すように、浄化処理部５０が装着姿勢にあり、原水容器３０が非装着姿勢から装着姿勢に姿勢変更する場合に、逆止弁３７を原水流出方向と反対方向に、付勢部材３９の付勢力に抗して押圧する棒状部材４１ａと、当該棒状部材４１ａを浄化処理部５０の上方で支持する支持基体４１ｂとから構成されている。
【００２３】
〔逆止弁の作用〕
上述の構成により、原水容器３０が浄水器支持体１０から取り外され非装着姿勢（図３に示す姿勢）となる場合、逆止弁３７の弁座４０への着座状態が維持され、原水流出口３４の閉止状態が維持されることとなり、原水流出口３４から原水が漏洩することを適切に防止する。
一方、原水容器３０が非装着姿勢（図３に示す姿勢）から浄水器支持体１０に装着される装着姿勢（図４に示す姿勢）に姿勢変更する場合、逆止弁３７が操作手段４１の棒状部材４１ａにより原水の流通方向と反対方向（図３で矢印Ｙの矢示方向と反対方向）へ押圧されて、逆止弁３７が弁座４０から離れて、原水流出口３４が閉止状態（図３に示す状態）から開放状態（図４に示す状態）へ移行し、原水流出口３４から原水が流出し、浄化処理部５０へ原水が供給される。
【００２４】
原水容器３０の下方には、原水流出口３４の筒状突出部３８の径方向で外側に位置する筒状連結部４２が上方から下方（図３、４で矢印Ｙの矢示方向）に延設されている。
当該筒状連結部４２は、浄化処理部５０に装着される浄水カートリッジ２００の浄化材充填筐体１６０と連結可能に構成されている。当該連結状態が維持されている状態（図４に示す状態）では、原水容器３０から供給される原水は、確実に浄化処理部５０の浄水カートリッジ２００に導かれることとなる。
【００２５】
〔脚状体及び案内部材〕
原水容器３０は、その下面から下方側（図３で矢印Ｙの矢示方向で先端側）に延びて自身を支持する一対の脚状体４３を備えている。一方、浄化処理部５０の上面には、原水容器３０及び浄化処理部５０が浄水器支持体１０に装着されている装着姿勢において、脚状体４３の外面に沿う形状の案内部材５４が設けられている。
当該案内部材５４は、浄化処理部５０が浄水器支持体１０に装着されている装着姿勢（図３、４に示す姿勢）において、原水容器３０が非装着姿勢（図３に示す姿勢）から装着姿勢（図４に示す姿勢）に姿勢変更するときに、脚状体４３を案内する形態で、浄化処理部５０に対し原水容器３０を案内する。
これにより、原水容器３０は、原水容器３０の原水流出口３４と浄化処理部５０に装着される浄水カートリッジ２００の原水受入口１１７とが芯出しされている状態に、位置決めされる。
【００２６】
脚状体４３は、原水容器３０が浄水器支持体１０から取り外された非装着姿勢において、原水容器３０がテーブル等（図示せず）に載置された場合、テーブル等に対して原水容器３０を支持する。
このように、原水容器３０が脚状体４３により支持されている状態で、原水容器３０の筒状突出部３８の下端部３８ａは、脚状体４３の下端部４３ａよりも上方側に位置している。
これにより、原水容器３０の筒状突出部３８の下端部３８ａは、原水容器３０が脚状体４３により支持されている状態において、テーブル等に当接することはなく、テーブル等に存在する場合のある雑菌の付着が防止される。
【００２７】
〔浄化処理部〕
浄化処理部５０は、図１、３、４に示すように、浄水カートリッジ２００を装着可能に構成されている。そして、当該浄水カートリッジ２００が、図３、４に示すように、第１浄化材１１１と当該第１浄化材１１１とは異なる第２浄化材１２１を備え、第１浄化材１１１と第２浄化材１２１の夫々を各別に充填及び取り外し可能に構成されている。
浄化処理部５０は、図１、３、４に示すように、主には、浄水器支持体１０に螺設される浄化処理部本体５１と、当該浄化処理部本体５１の内部に配設されて、浄水カートリッジ２００を支持する浄水カートリッジ支持部材５２とから構成されている。
【００２８】
〔浄水カートリッジ〕
浄水カートリッジ２００は、図３に示すように、上方から下方への原水の通流方向（図３で矢印Ｙの矢示方向）において、第１浄化材１１１を充填可能な第１浄化材充填容器１１０と、第２浄化材１２１を充填可能な第２浄化材充填容器１２０とを記載順に備えて成る浄化材充填筐体１６０から構成されている。
当該浄水カートリッジ２００では、第１浄化材１１１及び第２浄化材１２１の双方が、各別に、充填及び取出し可能である。このため、使用者は、第１浄化材１１１のみを充填した状態、第２浄化材１２１のみを充填した状態、第１浄化材１１１と第２浄化材１２１の双方を充填した状態の３つの状態に切り替えて、浄水カートリッジ２００を使用することができる。
【００２９】
更に、本発明の浄水カートリッジ２００では、第１浄化材１１１を、原水の硬度を上昇させる硬度上昇材と、原水の硬度を低減させる硬度低減材とから択一的に選択可能に構成している。これにより、使用者は、各自の好みに応じた硬度の浄水を得ることができる。
ここで硬度上昇材は、原水にミネラル分を供給可能な材料を用いることができ、硬度低減材は、原水のミネラル分を回収可能な材料を用いることができる。
【００３０】
〔浄水容器〕
本発明においては、浄水容器７０は、浄水器支持体１０から独立に装着及び取り外しが可能に構成されており、その装着姿勢において、浄化処理部５０にて浄化された浄水が、その内部に適切に導かれるように構成されている点を特徴としている。
【００３１】
尚、浄水容器７０は、図１、図５（ｂ）に示すように、非装着姿勢から装着姿勢へ姿勢変更するに場合に、浄水器支持体１０の底部１１に設けられる案内溝１４により案内されるように構成されている。
当該案内溝１４は、浄水容器７０の浄水受入口７５と浄化処理部５０に装着される浄水カートリッジ２００の浄水流出口１２４とを位置合わせするように、浄水容器７０を案内する。
【００３２】
さらに、浄水器支持体１０の底部１１には、図５（ａ）に示すように、浄水容器７０が浄水器支持体１０へ装着されている装着姿勢において、浄水容器７０と底部１１との間に換気流を通流させる隙間を形成する凹部１５が設けられている。
【産業上の利用可能性】
【００３３】
本発明の浄水器は、原水容器の移動中には、原水容器の原水流出口から原水の流出を適切に防止しながらも、原水を浄化する浄化処理中には、原水容器の原水流出口から原水を流出して、浄化処理部に適切に導くことができる浄水器として、有効に利用可能である。
【符号の説明】
【００３４】
１０          ：浄水器支持体
１１          ：底部
１４          ：案内溝
１５          ：凹部
３０          ：原水容器
３４          ：原水流出口
３７          ：逆止弁
３８          ：筒状突出部
３８ａ        ：筒状突出部の下端部
３９          ：付勢部材
４１          ：操作手段
４１ａ        ：棒状部材
４３          ：脚状体
５０          ：浄化処理部
５４          ：案内部材
７０          ：浄水容器
７５          ：浄水受入口
７７          ：突起部
７８          ：開閉部材
１００          ：浄水器
１１０          ：第１浄化材充填容器
１１１          ：第１浄化材
１２０          ：第２浄化材充填容器
１２１          ：第２浄化材
１６０          ：浄化材充填筐体
２００          ：浄水カートリッジ
Ｙ              ：原水の通流方向
【図１】
0005862859.tif 000002
【図２】
0005862859.tif 000003
【図３】
0005862859.tif 000004
【図４】
0005862859.tif 000005
【図５】
0005862859.tif 000006
【図６】
0005862859.tif 000007